(57)【要約】    【課題】  二次側流通室の湯・水等のスワールを防止することにより、二次側流通室から吐出される湯・水等の圧力損失を抑え、所定の吐水量を確実に得ること。    【解決手段】  水栓ボデー２０の流路の一部をなす二次側流通室４４が、この二次側流通室４４の一次側に連通する一次側流通室３８から屈曲部７を介在して形成されるとともに、二次側流通室４４の中心軸に対して一次側流通室の中心軸が偏芯された位置に設けられ、さらに、二次側流通室内には、二次側流通室内に流入される湯・水等の流れを整える隔壁が形成された。    【選択図】    図２
2007032630.tif 000002
【特許請求の範囲】
【請求項１】
内部に湯・水等の流路が形成される水栓ボデーであって、
該流路の途中に、該流路の流通方向において屈曲形成された屈曲部が備えられ、該屈曲部の一次側に連通される一次側流通室と該屈曲部の二次側に連通される二次側流通室とが備えられ、該一次側流通室の中心軸と該二次側流通室の中心軸とが異なった位置に偏芯して設けられ、該二次側流通室内には、該二次側流通室内に流入される湯・水等の流れを整える隔壁が形成されていることを特徴とする水栓ボデー。
【請求項２】
前記隔壁は、前記一次側流通室の中心軸と平行に形成されるとともに、前記二次側流通室の中央付近から前記一次側流通室との連通部と反対側の前記二次側流通室の端部にまで延設されたことを特徴とする請求項１に記載の水栓ボデー。
【請求項３】
前記二次側流通室が、吐水口が接続される吐水口接続部やシャワー装置が接続されるシャワー接続部に連通される流路等の、湯・水等が水栓ボデーから外部へ吐出される部位に連通されることを特徴とする請求項１又は請求項２に記載の水栓ボデー。
【発明の詳細な説明】
【技術分野】
【０００１】
本発明は、水栓の本体を構成する水栓ボデーに関する。
【背景技術】
【０００２】
従来、湯側・水側のそれぞれの供給管から流入される湯・水をその内部において所定量混合し、所定の湯温にて吐水したり、シャワーまたはカランのそれぞれから吐水を行わせる水栓が知られている。このような水栓では、水栓の大きさをコンパクトに抑えるなどデザイン上の理由から、その流路が水栓ボデー内で複雑に取り回されている。例えば、このような水栓ボデー６０では、図８、９に示すように、その内部に流路が取り回されている。ここで、吐水口５側の吐水口接続口４０に至る一次側流通室３８と二次側流通室４４とは、各々の中心軸が異なった位置に偏芯されて配設され屈曲部７を間に介在して連通されている。これは、二次側流通室４４と中心軸を一致させて一次側流通室３８を配設しようとすると（図８において、二次側流通室４４の真横に一次側流通室３８を配設しようとすると）、混合室３４の下方（図８における手前方向）に、一次側流通室３８の厚みの分だけ水栓ボデー６０が厚くならざるを得ないが、図８に示すように、一次側流通室３８の中心軸を水栓ボデー６０の背面側にずらして配設することにより、水栓ボデー６０の大型化を回避することができるものである。なお、出願人は、かかる先行技術に関する文献情報について探索したが、具体的な文献としては発見することができなかった。
【発明の開示】
【発明が解決しようとする課題】
【０００３】
このような従来の水栓ボデー６０では、上記したように、屈曲部７を間に介在して、二次側流通室４４が一次側流通室３８とその中心軸を偏芯させて配設されているので、図８及び図９に示すように、二次側流通室４４に湯水が流入される際に、二次側流通室４４内で湯水がスワールを起こしていた。このため、このスワールによる湯水の圧力損失が生じ、二次側流通室４４の下流に位置する吐水口５等からの吐水量が所定値よりも減少してしまう原因となっていた。
【０００４】
本発明は上記した従来の水栓ボデーの問題点を解消するものであり、上記したような水栓ボデーにおいて、流入部内のスワールを抑えて所定の吐水量を得ることのできる水栓ボデーを提供することを目的とする。
【課題を解決するための手段】
【０００５】
以上の課題を解決するために、本発明の採った手段を以下に説明する。本発明の水栓ボデーは、内部に湯・水等の流路が形成される水栓ボデーであって、該流路の途中に、該流路の流通方向において屈曲形成された屈曲部が備えられ、該屈曲部の一次側に連通される一次側流通室と該屈曲部の二次側に連通される二次側流通室とが備えられ、該一次側流通室の中心軸と該二次側流通室の中心軸とが異なった位置に偏芯して設けられ、該二次側流通室内には、該二次側流通室内に流入される湯・水等の流れを整える隔壁が形成されていることを特徴とする水栓ボデー（請求項１）である。
【０００６】
屈曲部の一次側に連通される一次側流通室と屈曲部の二次側に連通される二次側流通室とが備えられ、この一次側流通室の中心軸と二次側流通室の中心軸とが異なった位置に偏芯して設けられる場合、二次側流通室内で湯・水等がスワールを起こそうとするが、二次側流通室内に隔壁を設けることによりスワールを防止することができる。「隔壁」は、二次側流通室内の種々の位置に種々の形状・大きさに形成することができ、例えば、隔壁は、一次側流通室の中心軸と平行に形成されるとともに、二次側流通室の中央付近から一次側流通室との連通部と反対側の二次側流通室端部にまで延設されるもの（請求項２）など、スワールを遮るように、スワールに直交するような方向に形成されることが望ましい。
【０００７】
「水栓ボデー」は、湯水混合水栓、単水栓など種々の水栓に用いられるものを広く含む。また、「屈曲部」は、種々の角度に屈曲形成された部位を広く含む。
【０００８】
また、上記した「二次側流通室」としては、水栓ボデーの流路のうち、吐水口が接続される吐水口接続部やシャワー装置が接続されるシャワー接続部に連通される流路など、特に、湯・水等が水栓ボデーから外部へ吐出される部位の流路に適用することもできる（請求項３）。
【発明の効果】
【０００９】
本発明は上記のように流入部の湯・水等のスワールを防止することにより、二次側流通室から吐出される湯・水等の圧力損失を抑え、所定の吐水量を確実に得ることができる。
【発明を実施するための最良の形態】
【００１０】
次に、本発明の水栓ボデーの実施の形態を図を参考にして詳細に説明する。図１に示すように、本発明の水栓ボデー２０は、湯水混合水栓１の水栓本体２を構成する水栓部品の一例である。水栓ボデー２０の背面側には湯側接続部２２、水側接続部２４がそれぞれ突設されており、これらの接続部２２，２４は、壁面裏側に引き回されて配設されている湯側配管・水側配管（図示省略）に接続される継手３、４に各々が接続されている。ほぼ円筒状の水栓ボデー２０の正面視左側には温度調節ハンドル２６が取り付けられている。この温度調節ハンドル２６により水栓ボデー２０に内蔵された温度調節弁（図示省略）を駆動操作することにより、湯側接続部２２及び水側接続部２４から水栓ボデー２０内に流入される湯・水を適宜量混合して、所定の混合水を得ることができる。また、水栓ボデー２０の正面視右側には切換ハンドル２８が取り付けられている。この切換ハンドル２８により水栓ボデー２０に内蔵された切換弁（図示省略）を駆動操作することにより、温度調節弁により混合された混合水を、吐水口５、またはシャワー接続口６に接続されるシャワー装置（図示省略）のいずれかから吐出させるように切り換えることができるとともに、それぞれの吐水量の調節及び吐止水の操作を行うことができる。
【００１１】
図２に示すように、水栓ボデー２０の背面側には湯側接続部２２、水側接続部２４が突設されており、両接続部２２，２４の間にはシャワー接続口６が突設されている。湯側接続部２２には給湯器から継手３を経て高温水が流入され、さらに、水栓ボデー２０内の湯通路へと高温水が流入される。また、水側接続部２４には水道管から継手４を経て水道水が流入され、さらに、水栓ボデー２０内の水通路３０へ水が流入される。水通路３０は、水栓ボデー２０の背面側寄り下部に、水栓ボデー２０の右側寄りに設けられた水側接続部２４に連通されて、水栓ボデー２０左側寄りの湯側接続部２２付近にかけて横長に形成されている。また、水通路３０の左側端部付近には、寒冷時の凍結防止を行うための水抜き孔３２が開設されている。
【００１２】
また、図３に示すように、湯通路及び水通路３０と連通する混合室３４が形成されている。混合室３４に流入される湯・水は、混合室３４内に収容される温度調節弁において、温度調節ハンドル２６によって設定された所定の温度となるように適宜量混合される。また、混合室３４には、シャワー流路３６及び一次側流通室３８が連通して形成されている。混合水は、切換ハンドル２８の操作によって駆動される切換弁によって、図３に示すシャワー流路３６、又は、図２に示す一次側流通室３８のいずれかに流出される。切換ハンドル２８のシャワー装置側への操作によりシャワー流路３６に流出された混合水は、水栓ボデー２０の背面側に突設されたシャワー接続口６を経てシャワー装置から吐出されることになる。また、切換ハンドル２８の吐水口側への操作によって、一次側流通室３８に混合水が流出されることになる。
【００１３】
一次側流通室３８は、図２に示すように、水栓ボデー２０の底面側の中央付近やや右側からほぼ中央にかけて形成されており、水栓ボデー２０の右側寄りの混合室３４との混合室側連通口３７から流入された混合水は、水栓ボデー２０の左側寄りの吐水口側連通口３９へと流れる。また、図２及び図３に示すように、一次側流通室３８は、水栓ボデー２０の底面から見て、混合室３４の長手方向の中心軸と、水通路３０の長手方向の中心軸との間にその中心軸が位置するように設けられている。混合室３４の真下（図２における混合室３４の手前側）に一次側流通室３８を設けることとすると、混合室３４の部位の水栓ボデー２０の上下方向（図２における混合室３４の部位の前後方向）の厚みが大きくなってしまい湯水混合水栓１のデザイン上好ましくないため、混合室３４の中心軸からずらして（具体的には、水栓ボデー２０の背面側にずらして）一次側流通室３８を形成することとして、水栓ボデー２０下方への一次側流通室３８分の突出を抑えることとしている。したがって、図２に示すように、吐水口側連通口３９の開口方向は、後述する流入部４４の中央に向かって開口されておらず、一次側流通室３８の混合水は二次側流通室４４の中央に向かってまっすぐは流入できないように形成されている。
【００１４】
そして、一次側流通室３８の吐水口側連通口３９側の先端寄りには、一次側流通室３８の長手方向とほぼ直交する方向（図２における手前側方向）に沿って屈曲部７が形成されており、一次側流通室３８と反対側の屈曲部７の先端寄りには、一次側流通室３８の長手方向とほぼ直交する方向に沿って開口することとなる二次側流通室４４が形成されている。また、上記したように、二次側流通室４４の中心軸は、一次側流通室３８の中心軸とは異なった位置に偏芯されて配設されている。また、二次側流通室４４の奥端には、混合室３４の外壁面に沿って湾曲形成された底面４２が形成されている。そして、この二次側流通室４４の奥端側には底面４２から吐水口接続口４０の開口部４６に向けて隔壁４８が立設されている。隔壁４８は、底面４２から二次側流通室４４の下端（開口部４６との境界）まで約５mmの高さに形成されている。また、隔壁４８は、図２に示すように、水栓ボデー２０の底面から見て、水栓ボデー２０の長手方向及び一次側流通室３８の長手方向とほぼ同一方向に一直線状に形成されており、開口部４６の中心から一次側流通室３８側に約４mmの位置から、一次側流通室３８とは反対側の二次側流通室４４の側端にかけて形成されている。また、その厚みは約２mmに設けられている。
【００１５】
また、図２及び図３に示すように、水栓ボデー２０の底面ほぼ中央に、二次側流通室４４と同軸上に開口される吐水口接続口４０が形成されている。吐水口接続口４０には、図１で示す吐水口５が接続される。また、吐水口接続口４０は、水栓ボデー２０の部位のうち、混合室３４の直下に開口するように設けられている。
【００１６】
このように構成された水栓ボデー２０においては、一次側流通室３８から二次側流通室４４へ流れる混合水は、図２に示すように、二次側流通室４４の背面側から二次側流通室４４に流入する。一次側流通室３８の中心軸に対して二次側流通室４４の中心軸は偏芯されており、一次側流通室３８の吐水口側連通口３９は、その開口方向が吐水口接続口４０の二次側流通室４４の中央に向かってまっすぐは開口されておらず二次側流通室４４の背面側寄りに向けて開口されているので、混合水が二次側流通室４４にそのまま流入すると、二次側流通室４４内を、その底面からみて右回りに流れようとする。しかしながら、流入する混合水の一部は隔壁４８で隔てられた水栓ボデー２０背面側に位置する後方領域５０へ、また残部は水栓ボデー２０正面側に位置する前方領域５２へとそれぞれ流入し、それぞれの領域５０，５２へ流入した混合水は、隔壁４８によって遮られて、二次側流通室４４内でスワールを起こすことなく、図４に示すように、開口部４６下方へとそのままほぼストレートに流れる。したがって、スワールによる吐水の圧力損失が生じることはなく、吐水口５から所定の吐水量を確保することができる。
【００１７】
なお、本発明は上記した実施の形態に限られるものではなく、本発明の趣旨の範囲内で種々の変更が可能である。上記した水栓ボデー２０では、隔壁４８は一次側流通室３８と平行に直線的に形成されているが、これに限られず、例えば、図５に示すように、隔壁４８’を吐水口側連通口３９の中央に向かって直線的に形成することとしても良い。また、隔壁は吐水口接続口４０の底面からみて、直線状に形成することに限られず、例えば、図２に示す隔壁４８の途中で、吐水口側連通口３９の中央に向かって折曲したり湾曲したりするような形状としても良い。
【００１８】
また、隔壁４８の高さを上記した隔壁４８の約５mmから変更することもできるが、上記隔壁４８のように二次側流通室４４の高さに合わせてほぼ同じ高さにまで形成すると、スワールを充分に抑えることができ好適である。また、一定の強度を確保しながら隔壁４８の厚みや長さを変更することも可能であるが、開口部４６の開口面積に対して厚すぎたり、吐水口側連通口３９に対して隔壁４８の先端が著しく偏るような位置となるように形成されると、流量自体が制限を受けて圧力損失を生じるおそれがあるので、上記の隔壁４８のように構成することが好適である。   
【００１９】
また、隔壁は、吐水口接続口４０に連通する二次側流通室４４に設けることに限られず、他の二次側流通室、例えば、シャワー接続口６に連通する二次側流通室がシャワー流路３６から偏芯して形成されている場合には、シャワー接続口６に連通する二次側流通室に設けることなどとしても良い。
【実施例】
【００２０】
本発明の実施例である水栓ボデー２０について上記のように構成した上で、従来の水栓ボデーと吐水量の比較実験を行った結果について説明する。実験方法については、以下のとおりである。上記したように図２に示すような二次側流通室４４内に隔壁４８を設けた水栓ボデー２０と、このような隔壁４８を設けず他の部位は同一の水栓ボデー６０について、所定の水圧で湯・水を供給した状態でカラン（吐水口）から吐出される湯水の流量を比較した。図６に示すのは、温度調節ハンドル２６をＣ側（冷水側）いっぱいに調節して、吐水口５（カラン）から水のみを全開吐水させた際の流量を比較したものである。この比較例では、設定された二つの水側圧力の条件下のいずれにおいても、隔壁４８無しの水栓ボデー６０に対して、隔壁４８を設けた水栓ボデー２０の例では、流量が約１３〜１５％増加した。
【００２１】
また、図７に示すのは、同様に温度調節ハンドル２６の調整により４０℃の混合水とするものとした際に、吐水口５から全開吐水させた際の流量を比較したものである。この比較例では、設定された水側・湯側圧力の条件下で、隔壁４８無しの水栓ボデー６０に対して、隔壁４８を設けた水栓ボデー２０の例では流量が約１５．７％増加した。
【図面の簡単な説明】
【００２２】
【図１】本発明の水栓ボデーを用いた湯水混合水栓の斜視図である。
【図２】図１の水栓ボデーの底面図である。
【図３】図２の水栓ボデーのＡ−Ａ線断面図である。
【図４】図２の水栓ボデーのＢ−Ｂ線断面図である。
【図５】別の水栓ボデーの底面図である。
【図６】吐水量の比較実験結果を示す表である。
【図７】吐水量の比較実験結果を示す表である。
【図８】従来の水栓ボデーの底面図である。
【図９】従来の水栓ボデーのＣ−Ｃ線断面図である。
【符号の説明】
【００２３】
１；湯水混合水栓、２；水栓本体、３，４；継手、５；吐水口、６；シャワー接続口、７；屈曲部、２０；水栓ボデー、２２；湯側接続部、２４；水側接続部、２６；温度調節ハンドル、２８；切換ハンドル、３０；水通路、３２；水抜き孔、３４；混合室、３６；シャワー流路、３７；混合室側連通口、３８；一次側流通室、３９；吐水口側連通口、４０；吐水口接続口、４２；底面、４４；流入部、４６；開口部、４８，４８’；隔壁、５０；後方領域、５２；前方領域、水栓ボデー６０。
【図１】
2007032630.tif 000003
【図２】
2007032630.tif 000004
【図３】
2007032630.tif 000005
【図４】
2007032630.tif 000006
【図５】
2007032630.tif 000007
【図６】
2007032630.tif 000008
【図７】
2007032630.tif 000009
【図８】
2007032630.tif 000010
【図９】
2007032630.tif 000011